(57)【要約】【課題】カメラ用のレンズ駆動装置においてクリック機構を採用しつつも、装置の小径化、小型化を図る。【解決手段】回動自在に支持されたカム筒２０、カム筒２０の回動により光軸方向に移動させられるレンズ枠３０，４０等を備え、カム筒２０を所定の回転角度刻みで停止させる止め力を及ぼすクリック機構として、カム筒２０のスラスト方向の端面２６に設けた突起２６ａ、突起２６ａに係合する複数の溝７１をもつリング部材７０、リング部材７０をカム筒２０に向けて付勢する環状の板バネ８０等を採用した。これによれば、クリック機構がカム筒のスラスト方向の端面に設けられるため、カム筒の径方向外側にクリック機構を設ける場合に比べて、装置を小径化、小型化することができる。【選択図】  図３
2005024995.tif 000002
【特許請求の範囲】
【請求項１】
光軸方向においてカム作用をなすべく回動自在に支持されたカム筒と、レンズを保持すると共に前記カム筒の回動により光軸方向に移動させられるレンズ枠と、前記カム筒を所定の回転角度刻みで停止させる止め力を及ぼすクリック機構と、を備えたレンズ駆動装置であって、
前記クリック機構は、前記カム筒のスラスト方向の端面に対して止め力を及ぼすように形成されている、
ことを特徴とするレンズ駆動装置。
【請求項２】
前記クリック機構は、前記カム筒のスラスト方向の端面に形成された突起と、前記突起と係合するべく所定角度の間隔で放射状に配列された複数の溝を有する環状のスラスト受け部と、前記突起と前記溝とを接触させるように付勢する付勢部材と、
を有する、ことを特徴とする請求項１記載のレンズ駆動装置。
【請求項３】
前記クリック機構は、前記カム筒のスラスト方向の端面に形成され所定角度の間隔で放射状に配列された複数の溝と、前記複数の溝と係合するべく形成された突起を有するスラスト受け部と、前記溝と前記突起とを接触させるように付勢する付勢部材と、
を有する、ことを特徴とする請求項１記載のレンズ駆動装置。
【請求項４】
前記付勢部材は、環状をなし、所定の領域が光軸方向に折り曲げられた環状の板バネからなる、
ことを特徴とする請求項２又は３に記載のレンズ駆動装置。
【請求項５】
前記クリック機構は、前記カム筒のスラスト方向の端面に形成され所定角度の間隔で放射状に配列された複数の溝と、前記複数の溝と係合する突起を有し前記突起を前記溝に向けて付勢する板バネと、
を有する、ことを特徴とする請求項１記載のレンズ駆動装置。
【請求項６】
前記カム筒を回動自在に収容する外筒と、前記カム筒の後方において前記外筒に固定されて撮像素子を保持する保持枠と、を有し、
前記付勢部材は、前記保持枠に固定されている、
ことを特徴とする請求項２ないし５いずれかに記載のレンズ駆動装置。
【発明の詳細な説明】
【０００１】
【発明の属する技術分野】
本発明は、レンズを光軸方向に往復動させて変倍操作を行なう際に、変倍操作のクリック感を得るためのクリック機構を備えレンズ駆動装置に関し、特に、携帯電話機、携帯型パーソナルコンピュータ等の携帯情報端末機に搭載されるカメラに適用されるレンズ駆動装置に関する。
【０００２】
【従来の技術】
カメラ等に適用される従来のレンズ駆動装置としては、相対的に回動自在に同軸に配置された外筒及び内筒と、外筒の内周面又は内筒の外周面に設けられた複数の溝と、内筒の外周面又は外筒の内周面に固定された板状のバネ部材とを設け、板状のバネ部材の両端部に凸部を形成し、バネ部材の一端の凸部が溝に入り込んでいるとき、他端の凸部が溝と溝の間に位置するように形成されたクリック機構を備えたものが知られている（例えば、特許文献１参照）。
【０００３】
【特許文献１】
特開平８−１４６２７４号公報
【０００４】
【発明が解決しようとする課題】
ところで、上記従来のクリック機構においては、外筒の内周面と内筒の外周面との間において、複数の溝と、これらの溝に係合し得る凸部を両端にもつ板状のバネ部材とを設ける構成であるため、外筒の外径が大きくなり、装置全体としても大径化、大型化を招く。
したがって、小径化、小型化等が要求される携帯電話機等に搭載されるカメラのレンズ駆動装置において、このクリック機構を適用するのは困難であった。
【０００５】
本発明は、上記従来技術の事情に鑑みてなされたものであり、その目的とするところは、小径化、小型化、軽量化等を図りつつ、特に携帯情報端末機等に搭載されるカメラに適用できるクリック機構を備えたレンズ駆動装置を提供することにある。
【０００６】
【課題を解決するための手段】
本発明のレンズ駆動装置は、光軸方向においてカム作用をなすべく回動自在に支持されたカム筒と、レンズを保持すると共にカム筒の回動により光軸方向に移動させられるレンズ枠と、カム筒を所定の回転角度刻みで停止させる止め力を及ぼすクリック機構と、を備えたレンズ駆動装置であって、上記クリック機構は、カム筒のスラスト方向の端面に対して止め力を及ぼすように形成されている、ことを特徴としている。
この構成によれば、カム筒を回転させてレンズ枠を光軸方向の所望の位置に移動させる場合、クリック機構により、スラスト方向から止め力が作用して、カム筒を所定の回転角度刻みで停止させるため、所望のクリック感（回転に応じて所定の角度位置で確実に停止する感覚）が得られると同時に、カム筒を所望の角度位置に位置決めすることができる。
また、クリック機構を、カム筒のスラスト方向の端面に設けたことにより、カム筒の径方向外側にクリック機構を設ける場合に比べて、装置を小径化、小型化することができる。
【０００７】
上記構成において、クリック機構は、カム筒のスラスト方向の端面に形成された突起と、突起と係合するべく所定角度の間隔で放射状に配列された複数の溝を有する環状のスラスト受け部と、突起と溝とを接触させるように付勢する付勢部材と、を有する、構成を採用できる。
この構成によれば、カム筒を回転させると、その端面に形成された突起が、スラスト受け部に形成された複数の溝に順次に係合して、所定の回転角度刻みで止め力を受けるため、所望のクリック感が得られる。
【０００８】
上記構成において、クリック機構は、カム筒のスラスト方向の端面に形成され所定角度の間隔で放射状に配列された複数の溝と、複数の溝と係合するべく形成された突起を有するスラスト受け部と、溝と突起とを接触させるように付勢する付勢部材と、を有する、構成を採用できる。
この構成によれば、カム筒を回転させると、その端面に形成された複数の溝に対して、スラスト受け部に形成された突起が順次に係合して、所定の回転角度刻みで止め力を受けるため、所望のクリック感が得られる。
【０００９】
上記構成において、付勢部材は、環状をなし、所定の領域が光軸方向に折り曲げられた環状の板バネからなる、構成を採用できる。
この構成によれば、付勢部材が環状の板バネであり、光軸方向に折り曲げられた所定の領域を、例えば、対向するように少なくとも一対設けることで、付勢力を略均等に及ぼすことができ、カム筒の回転が安定する。
【００１０】
上記構成において、クリック機構は、カム筒のスラスト方向の端面に形成され所定角度の間隔で放射状に配列された複数の溝と、複数の溝と係合する突起を有し突起を溝に向けて付勢する板バネと、を有する、構成を採用できる。
この構成によれば、板バネが、スラスト方向から係合する突起と付勢部材との役割を兼ねるため、部品点数を削減でき、構造を簡素化することができる。
【００１１】
上記構成において、カム筒を回動自在に収容する外筒と、カム筒の後方において外筒に固定されて撮像素子を保持する保持枠とを有し、付勢部材は、保持枠に固定されている、構成を採用できる。
この構成によれば、付勢部材は、別個に形成された保持枠に固定されるため、装置全体の組み付けに際して、例えば、予めレンズ枠を組み込んだカム筒とスラスト受け部（リング部材）とを外筒に組み込む際に、付勢部材を予め保持枠に固定し、その付勢部材を固定した保持枠を同時又はその後に外筒に連結することで、装置全体の組み付けを容易に行なうことができる。
【００１２】
【発明の実施の形態】
以下、本発明の実施の形態について、添付図面を参照しつつ説明する。
図１ないし図８は、本発明に係るレンズ駆動装置の一実施形態を示すものであり、図１及び図２は装置の側面図、図３及び図４は装置の内部を示す断面図、図５はカム筒の断面図、図６は装置の断面図、図７は装置の一部を示す分解斜視図、図８はこの装置を備えるカメラユニットが搭載された携帯電話機を示す斜視図である。
【００１３】
このレンズ駆動装置は、図１ないし図４に示すように、外輪郭を画定する外筒１０、外筒１０の内側において光軸Ｌ２回りに回動自在に支持されたカム筒２０、レンズＧ１を保持するレンズ枠３０、レンズＧ２を保持するレンズ枠４０、レンズ枠３０とレンズ枠４０との間に配置された圧縮バネ５０、外筒１０に沿って回動自在に配置された手動操作部６０、カム筒２０の後方に接触して配置された環状のスラスト受け部としてのリング部材７０、リング部材７０を付勢する付勢部材としての環状の板バネ８０、レンズ枠３０（レンズＧ１）の前方に配置されたレンズＧ３及びプリズムＧ４等を備えている。
尚、上記の装置に対して、レンズ枠４０（レンズＧ２）の後方に位置するように、撮像素子としてのＣＣＤ９１を保持した保持枠９０を連結することで、カメラユニットが形成される。
【００１４】
この装置において、レンズＧ３及びプリズムＧ４は第１レンズ群、レンズＧ１（及びレンズ枠３０）は第２レンズ群、レンズＧ２（及びレンズ枠４０）は第３レンズ群をそれぞれ形成しており、被写体光がＬ１方向から進入すると、プリズムＧ４にて略直角に方向変換させられてＬ２方向に進入し、レンズＧ１、レンズＧ２を経て、ＣＣＤ９１に到達する。
そして、第２レンズ群（レンズＧ１）及び第３レンズ群（レンズＧ２）が、光軸方向Ｌ２において相対的に移動させられることにより、ＣＣＤ９１の結像面に対して被写体の変倍動作及び合焦動作が行われる。尚、ＣＣＤ９１とレンズＧ２との間には、水晶フィルタ及びフェースプレートが配置されている。
【００１５】
外筒１０は、樹脂材料により形成された一対の半体を接合したものであり、図３、図４、図６に示すように、カム筒２０を回動自在に支持する共に、カム筒２０の突出片２５を挿通させる開口部１１、レンズ枠３０，４０を光軸方向Ｌ２に案内するガイド溝１２、保持枠９０を連結する連結部１３等を備えている。
【００１６】
カム筒２０は、図３、図４、図６に示すように、外筒１０の内側において回動自在に支持されて、レンズ枠３０，４０を光軸方向Ｌ２に移動させるものであり、図５に示すように、内周面に形成され光軸方向Ｌ２においてレンズ枠３０，４０にそれぞれカム作用を及ぼす２つずつのカム面２１，２２（１つは不図示）、壁面を切り欠いた縁部に形成され光軸方向Ｌ２においてレンズ枠３０，４０にそれぞれカム作用を及ぼす１つずつのカム面２３，２４、径方向外側に突出する突出片２５等により形成されている。
このカム筒２０は、光軸方向Ｌ２において二分割されて別々に形成されたものを、圧縮バネ５０を挟んだ状態でレンズ枠３０，４０を嵌め込んだ後に、組み付けて一体化したものである。
【００１７】
ここで、２つのカム面２１及び１つのカム面２３は、後述するレンズ枠３０の３つのフォロワ３２とそれぞれ接触して、光軸方向Ｌ２においてカム作用を及ぼし、又、２つのカム面２２及び１つのカム面２４は、後述するレンズ枠４０の３つのフォロワ４２とそれぞれ接触して、光軸方向Ｌ２においてカム作用を及ぼす。したがって、カム筒２０が回転すると、レンズ枠３０，４０が光軸方向Ｌ２にそれぞれ移動させられる。
【００１８】
また、カム筒２０には、図７に示すように、そのスラスト方向（光軸方向Ｌ２）の後方端面２６において、１８０度の間隔をおいて２つの突起２６ａが形成されている。この突起２６ａは、半球状に形成されており、後述する複数の溝７１のそれぞれに対して係合する（入り込む）ように形成されている。尚、ここでは、カム筒２０の端面２６に２つの突起２６ａを設けたが、一つの突起２６ａを設けてもよく、又、３つ以上の突起２６ａを等間隔に設けてもよい。
【００１９】
手動操作部６０は、図１ないし図４、図６（ｂ）に示すように、円弧形状に形成され、その略中央部にはカム筒２０の突出片２５を嵌め込む嵌合孔６１が形成されている。そして、手動操作部６０は、図１及び図６（ｂ）に示すように、筒体１０の周りに摺動自在に取り付けられている。
したがって、手動操作部６０を回動させると、その回動と一体となってカム筒２０が回動し、レンズ枠３０，４０が光軸方向Ｌ２に移動させられるようになっている。
【００２０】
レンズ枠３０は、図３、図４、図６（ｂ）に示すように、レンズＧ１を保持し、光軸方向Ｌ２に移動自在にカム筒２０の内側に配置されている。レンズ枠３０は、樹脂材料により略円筒状に形成されており、レンズＧ１を保持する保持孔３１、１２０度の間隔で配置され径方向外側に向けて突出する３つのフォロワ３２等により形成されている。尚、一つのフォロワ３２は、他よりも長めに形成されて外筒１０のガイド溝１２に挿入されている。
【００２１】
すなわち、図３及び図４に示すように、２つのフォロワ３２がカム筒２０のカム面２１に当接し、一つのフォロワ３２がカム面２３に当接しかつガイド溝１２に挿入されている。これにより、レンズ枠３０は、ガイド溝１２により回転が規制されつつ、カム面２１，２３のカムプロフィルに追随して光軸方向Ｌ２にのみ移動するようになっている。
【００２２】
レンズ枠４０は、図３、図４、図６（ａ）に示すように、レンズＧ２を保持し、光軸方向Ｌ２に移動自在にカム筒２０の内側に配置されている。レンズ枠４０は、樹脂材料により略円筒状に形成されており、レンズＧ２を保持する保持孔４１、１２０度の間隔で配置され径方向外側に向けて突出する３つのフォロワ４２等により形成されている。尚、一つのフォロワ４２は、他よりも長めに形成されて外筒１０のガイド溝１２に挿入されている。
【００２３】
すなわち、図３及び図４に示すように、２つのフォロワ４２がカム筒２０のカム面２２に当接し、一つのフォロワ４２がカム面２４に当接しかつガイド溝１２に挿入されている。これにより、レンズ枠４０は、ガイド溝１２により回転が規制されつつ、カム面２２，２４のカムプロフィルに追随して光軸方向Ｌ２にのみ移動するようになっている。
【００２４】
リング部材７０は、カム筒２０をスラスト方向において支持するスラスト受け部として機能するものであり、図３、図４、図７に示すように、カム筒２０の後方端面２６（突起２６ａ）に隣接して配置されている。
このリング部材７０は、樹脂材料により、カム筒２０と略同一の内径及び外径をなす環状に形成されており、その前端面には所定の角度間隔刻みで放射状に配列された複数の溝７１が形成され、その外周面には２つの回り止め突起７２が形成されている。複数の溝７１は、例えば１０度ごとの間隔で形成されている。
そして、リング部材７０は、外筒１０の内側に嵌め込まれると同時に、回り止め突起７２が外筒１０の内壁に形成されたガイド溝１４及びガイド溝１２に挿入されて、回転が規制されつつ光軸方向Ｌ２に移動可能に支持されている。
【００２５】
このように、スラスト受け部として、別個に形成されたリング部材７０を採用することで、カムプロフィルの異なる種々のカム筒に応じたクリック感を出すべく、刻み角度（溝の間隔）の異なる種々のリング部材を設定することができ、組み込むカム筒に応じたリング部材を選定して組み込むことができる。
【００２６】
付勢部材としての板バネ８０は、図３、図４、図７に示すように、リング部材７０（複数の溝７１）を、カム筒２０の後方端面２６に形成された突起２６ａに対して接触させるように付勢力を及ぼすものである。この板バネ８０は、環状に形成され、２箇所の平坦部８１と、光軸方向Ｌ２の前方に向けて折り曲げられた弾性変形可能な可撓部８２（所定の領域）とにより形成されている。
そして、板バネ８０は、平坦部８１をネジ等で締結することにより、保持枠９０の前端面に固定されている。
【００２７】
このように、付勢部材として環状の板バネ８０を採用し、かつ、２箇所の可撓部８２をリング部材７０の背面に当接させて付勢力を及ぼすことで、リング部材７０が傾かないように、付勢力を略均一に及ぼすことができ、又、板状のバネであるため、光軸方向Ｌ２の厚みを薄くすることができ、装置全体の小型化に寄与する。
【００２８】
上記カム筒２０の後方端面２６に形成された突起２６ａ、リング部材７０の前端面に形成された複数の溝７１、環状の板バネ８０により、カム筒２０を所定の回転角度刻みで停止させる止め力を及ぼすクリック機構が構成されている。
すなわち、このクリック機構が、カム筒２０のスラスト方向の端面に対して止め力を及ぼすように形成されているため、カム筒２０の径方向外側にクリック機構を設ける場合に比べて、装置を小径化、小型化することができる。
【００２９】
次に、レンズ駆動装置の動作について図３及び図４に基づき説明すると、手動操作部６０を一方向に回転させると、カム面２１，２３及びカム面２２，２４のカム作用により、図３に示すように、レンズ枠３０（レンズＧ１）及びレンズ枠４０（レンズＧ２）は、相対的な距離を変化させつつ光軸方向Ｌ２の前方側に向けて移動し、広角撮影位置に至る。
【００３０】
一方、手動操作部６０を逆方向に回転させると、カム面２１，２３及びカム面２２，２４のカム作用により、図４に示すように、レンズ枠３０（レンズＧ１）及びレンズ枠４０（レンズＧ２）は、相対的な距離を変化させつつ光軸方向Ｌ２の後方側に向けて移動し、望遠撮影位置に至る。
【００３１】
このように、手動操作部６０を回動させて、広角〜望遠までの幅広い撮影位置にレンズ枠３０，４０を移動させる際に、カム筒２０の回転に応じて、所定の角度位置で確実に停止するクリック感が確実に得られ、広角〜望遠の所望の撮影位置にレンズＧ１，Ｇ２を停止させて撮影することができる。
【００３２】
図８は、上記レンズ駆動装置を備えたカメラユニット１００を、携帯電話機に搭載した実施形態を示す斜視図である。
この携帯電話機は、図８に示すように、種々の操作釦１１１を配置した本体１１０、種々の情報を表示する液晶モニター１２１を配置した蓋部１２０等により形成され、蓋部１２０は、連結部１１２，１２２により、本体１１０に対して開閉自在に連結されている。
【００３３】
そして、連結部１１２には、図８に示すように、撮影窓１１２ａ、開口部１１２ｂが形成され、その内部にカメラユニット１００が収容されている。連結部１１２は、小型化のために径寸法が小さく形成されている。したがって、上記クリック機構を備えて小径化、小型化されたカメラユニット１００は、この連結部１１２に容易に収容され、携帯電話機の小型化に寄与している。
【００３４】
図９は、本発明に係るレンズ駆動装置の他の実施形態を示すものである。この実施形態においては、クリック機構を変更した以外は前述の実施形態と同一であるため、クリック機構についてのみ説明する。
すなわち、図９に示すように、カム筒２０´のスラスト方向における後方端面には、所定角度の間隔で放射状に配列された複数の溝２７´が形成されている。また、保持枠９０には、その前端面において、片持ち梁状の板バネ８０´がネジ等により締結して固定されている。
【００３５】
板バネ８０´には、その自由端部において、カム筒２０´に形成された複数の溝２７´と係合する突起８０ａ´が一体的に形成されている。そして、板バネ８０´は、自らの弾性力により、突起８０ａ´を溝２７´に接触するように付勢している。
このように、カム筒２０´の後方端面に形成された複数の溝２７´、保持枠９０に固定されて突起８０ａをもつ板バネ８０´により、カム筒２０´を所定の回転角度刻みで停止させる止め力を及ぼすクリック機構が構成されている。
【００３６】
すなわち、このクリック機構が、カム筒２０´のスラスト方向の端面に対して止め力を及ぼすように形成されているため、カム筒２０´の径方向外側にクリック機構を設ける場合に比べて、装置を小径化、小型化することができ、又、板バネ８０´が、複数の溝に係合する突起と両者を接触するように付勢する付勢部材とを兼ねるため、別々の部品を設ける場合に比べて、部品点数を削減でき、構造を簡素化、軽量化することができる。
【００３７】
上記実施形態においては、クリック機構として、カム筒２０に設けた突起２６ａ、複数の溝７１を設けたスラスト受け部としてのリング部材７０、リング部材７０を突起２６ａに向けて付勢する環状の板状バネ８０を含む構成を示したが、これに限定されるものではなく、カム筒に設けた複数の溝、突起を一体的にもつスラスト受け部（例えば、リング部材）、スラスト受け部を溝に向けて付勢する付勢部材（例えば、環状の板バネ）を含む構成を採用してもよい。
【００３８】
上記実施形態においては、クリック機構の一部をなすスラスト受け部として、別個に形成されたリング部材７０を示したが、これに限定されるものではなく、複数の溝あるいは突起をもつように、外筒の内側に一体的に形成されたスラスト受け部を採用してもよい。
【００３９】
上記実施形態においては、付勢部材としての板バネ８０，８０´を保持枠９０に固定する場合を示したが、これに限定されるものではなく、板バネ８０，８０´を外筒１０の一部に固定する構成を採用してもよい。
また、上記実施形態においては、付勢部材として、環状の板バネ８０、片持ち梁状の板バネ８０´を示したが、これに限定されるものではなく、付勢力を及ぼすものであればその他の形状をなすバネ、あるいは、バネ以外の弾性体を採用してもよい。尚、板バネ８０´は、一つ設ける構成を示したが、二つ設けてもよい。
【００４０】
上記実施形態においては、二つのレンズ枠３０，４０を備える構成において本発明に係るクリック機構を採用した場合を示したが、これに限定されるものではなく、一つのレンズ枠、あるいは三つ以上のレンズ枠を備える構成において、本発明に係るクリック機構を適用してもよい。
【００４１】
【発明の効果】
以上述べたように、本発明のレンズ駆動装置によれば、カム筒の回動により光軸方向にレンズ枠を移動させる構成において、カム筒を所定の回転角度刻みで停止させ得るように、カム筒のスラスト方向の端面に対して止め力を及ぼすように形成されたクリック機構を採用したことにより、カム筒の回転に応じて所定の角度位置で確実に停止する良好なクリック感が得られると共に、カム筒を所望の角度位置に確実に位置決めすることができる。
また、クリック機構を、カム筒のスラスト方向の端面に設けたことにより、カム筒の径方向外側にクリック機構を設ける場合に比べて、装置を小径化、小型化することができ、このクリック機構をもつレンズ駆動装置を、携帯電話機等のカメラユニットに容易に採用することができる。
【図面の簡単な説明】
【図１】本発明に係るレンズ駆動装置の一実施形態を示す外観平面図である。
【図２】本発明に係るレンズ駆動装置の一実施形態を示す外観側面図である。
【図３】図１及び図２に示すレンズ駆動装置の内部構造を示す断面図である。
【図４】図１及び図２に示すレンズ駆動装置の内部構造を示す断面図である。
【図５】レンズ駆動装置の一部を構成するカム筒を示す断面図である。
【図６】（ａ），（ｂ）は、レンズ駆動装置の内部を示す光軸方向から見た断面図である。
【図７】クリック機構を形成するカム筒、リング部材、環状の板バネを示す分解図である。
【図８】本発明に係るレンズ駆動装置が搭載された携帯電話機の外観斜視図である。
【図９】クリック機構の他の実施形態を示す分解図である。
【符号の説明】
Ｌ１，Ｌ２  光軸方向
１０  筒体
１１  開口部
１２，１４  ガイド溝
１３  連結部
２０，２０´  カム筒
２１，２２，２３，２４カム面
２５  突出部
２６  後方端面
２６ａ  突起（クリック機構）
２７´  複数の溝（クリック機構）
３０，４０  レンズ枠
Ｇ１，Ｇ２  レンズ
３２，４２  フォロワ
５０  圧縮バネ
６０  手動操作部
７０  リング部材（スラスト受け部）
７１  複数の溝（クリック機構）
７２  回り止め突起
８０  環状の板バネ（付勢部材、クリック機構）
８０´  板バネ（付勢部材、クリック機構）
８０ａ´  突起（クリック機構）
９０  保持枠
９１  ＣＣＤ（撮像素子）
１００  カメラユニット
１１０  本体
１２０  蓋部
１１２，１２２  連結部
１１２ａ  撮影窓
１１２ｂ  開口部
【図１】
2005024995.tif 000003
【図２】
2005024995.tif 000004
【図３】
2005024995.tif 000005
【図４】
2005024995.tif 000006
【図５】
2005024995.tif 000007
【図６】
2005024995.tif 000008
【図７】
2005024995.tif 000009
【図８】
2005024995.tif 000010
【図９】
2005024995.tif 000011